【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
液晶パネルと、前記液晶パネルの背面側に設けられ、前記液晶パネル用の照明手段から出射される光を前面側及び背面側へ導く光偏向パターンが施された導光板と、を有する液晶表示装置と、
前記液晶表示装置の背面側に配置され、複数の識別情報が配列されたリールを複数個並設した変動表示装置と、
前記導光板と前記リールの間に設けられ、前記導光板から出射された光を、前面側に反射する反射板と、を有し、
前記導光板の前記リールが対向する部位は、前記リールからの光が透過する光透過領域であり、前記導光板の前記リールが対向する部位には、前記導光板を貫通する切り抜き又は前記リールに面した側から凹部が形成され、前記切り抜き又は前記凹部の端面形状は、前記照明手段からの光を出射するための光散乱形状であり、
前記導光板の前記リールが対向する部位は、前記リールからの光が透過する光透過領域であり、前記導光板には、前記光透過領域の周辺に第１の光偏向パターンが形成されるとともに、前記第１の光偏向パターンよりも前記光透過領域から離れた部分に第２の光偏向パターンが形成され、
前記第１の光偏向パターンにおけるパターン密度は、前記第２の光偏向パターンにおけるパターン密度よりも高く、
前記反射板においては、遊技機の正面側から見て高さ方向及び横方向からなる２次元座標上で、前記第１の光偏向パターンが形成された領域の外周端部と略一致する端部から内側の部分が切り抜かれていることを特徴とする遊技機。
【請求項２】
前記切り抜き又は前記凹部の端面から前記液晶パネルへの光の出射度は、前記光偏向パターンが施された領域から前記液晶パネルへの光の出射度と同程度であることを特徴とする請求項１に記載の遊技機。
【請求項３】
前記切り抜き又は凹部には、前記リールの一部が挿入されていることを特徴とする請求項１又は２に記載の遊技機。
【請求項４】
前記導光板の前記端部から中央近傍までの所定領域において、前記端部からの距離が大きくなるに従い、前記第２の光偏向パターンにおいて前記液晶パネルへ光を出射する部分の割合が高くなるように、前記第２の光偏向パターンが施されてあることを特徴とする請求項１乃至３のうち、いずれか１つの請求項に記載の遊技機。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
そこで本発明は、窓部の光量不足を単純な構造で防止し、美観を損ねることの無い遊技機を提供することを目的とする。
【手続補正４】
【補正対象書類名】明細書
【補正対象項目名】００１１
【補正方法】変更
【補正の内容】
【００１１】
上記目的を達成するために、本発明の第１の特徴は、例えば、図３及び図４に示すように、液晶パネル（例えば、液晶パネル１７３）と、前記液晶パネルの背面側に設けられ、前記液晶パネル用の照明手段（例えば、冷陰極管１７６ａ、１７６ｂ）から出射される光を前面側及び背面側へ導く光偏向パターンが施された導光板（例えば、導光板１７４）と、を有する液晶表示装置（例えば、液晶表示装置２７）と、前記液晶表示装置の背面側に配置され、複数の識別情報（例えば、図柄）が配列されたリール（例えば、リール３Ｌ、３Ｃ、３Ｒ、図１参照）を複数個並設した変動表示装置と、前記導光板と前記リールの間に設けられ、前記導光板から出射された光を、前面側に反射する反射板と、を有し、前記導光板の前記リールが対向する部位は、前記リールからの光が透過する光透過領域であり、前記導光板の前記リールが対向する部位には、前記導光板を貫通する切り抜き（例えば、導光板１７４の窓部４０Ｌ、４０Ｃ、４０Ｒ）又は前記リールに面した側から凹部が形成され、前記切り抜き又は前記凹部の端面形状は、前記照明手段からの光を出射するための光散乱形状であり、前記導光板の前記リールが対向する部位は、前記リールからの光が透過する光透過領域であり、前記導光板には、前記光透過領域の周辺に第１の光偏向パターンが形成されるとともに、前記第１の光偏向パターンよりも前記光透過領域から離れた部分に第２の光偏向パターンが形成され、前記第１の光偏向パターンにおけるパターン密度は、前記第２の光偏向パターンにおけるパターン密度よりも高く、前記反射板においては、遊技機の正面側から見て高さ方向及び横方向からなる２次元座標上で、前記第１の光偏向パターンが形成された領域の外周端部と略一致する端部から内側の部分が切り抜かれていることを特徴とする。
【手続補正５】
【補正対象書類名】明細書
【補正対象項目名】００１２
【補正方法】変更
【補正の内容】
【００１２】
このように構成すると、導光板のリールが対向する部位に、導光板を貫通する切り抜き、又は前記リール側に凹部が形成され、前記切り抜き、又は前記凹部の端面に光散乱加工が施されるので、液晶パネル用の照明手段から出射される光が、切り抜き部の端面に施された光散乱加工面で散乱され、リール側に送られ、リールが明るく照らされる。この結果、本発明によれば、窓部を照らす照明部などが不要となり、窓部における光量不足を、単純な構造で防止することが可能となる。また、上記２次元座標上で、第１の光偏向パターンの領域と、反射板の領域とは重なっておらず、第２の光偏向パターンの領域だけが、反射板の領域と重なっている。このため、第１の光偏向パターンから出射された光の多くは、反射板で反射されることなく、リールに送られるので、従来技術に比べて、導光板から出射される光のほとんどが、液晶パネルに送られるのではなく、リール側へ出射される光の量をも多くすることができる。この結果、窓部における光量不足により液晶表示およびリールが暗くなるのを一層防ぐことができる遊技機を提供することが可能となる。更に、上記２次元座標上で、反射板においては、第１の光偏向パターンが形成された領域の外周端部と略一致する端部から内側の部分が切り抜かれているので、リール側に送られる光の量を多くするとともに、液晶パネル側に送られる光の量をも大きく下げることはない。例えば、第１の光偏向パターンが形成された領域と、第２の光偏向パターンが形成された領域との境界線１７４ｘの位置が、所定の位置（例えば、変更例３で示す所定の位置）に決められることにより、光透過領域（例えば、窓部４０Ｌ、４０Ｃ、４０Ｒ）から遊技者が視認できるリールの明るさと、遊技者が視認する液晶パネル１７３（例えば、窓部に対向する領域以外の液晶パネルの領域）の明るさとのバランスが保たれる。また、遊技者が直接導光板裏面に形成された光偏向パターンを目視し得る状況であっても、目視できるのは、粗い光偏向パターンではなく、微細な光偏向パターン（第１の光偏向パターン１７４ｅ）であり、遊技者は、光偏向パターンの存在を認識しにくいので、遊技機の外観が美しくないと感じることが防止され、美観を損ねることがない遊技機を提供することができる。
【手続補正６】
【補正対象書類名】明細書
【補正対象項目名】００１３
【補正方法】変更
【補正の内容】
【００１３】
また、本発明の第２の特徴は、前記切り抜き又は前記凹部の端面から前記液晶パネルへの光の出射度は、前記光偏向パターンが施された領域から前記液晶パネルへの光の出射度と同程度であることを特徴とする。
【手続補正７】
【補正対象書類名】明細書
【補正対象項目名】００１４
【補正方法】変更
【補正の内容】
【００１４】
本発明によれば、光散乱加工が施された、切り抜き（窓部４０Ｌ、４０Ｃ、４０Ｒ）の端面から液晶パネルへの光の出射度は、光偏向パターンが施された領域から液晶パネルへの光の出射度と同程度であるので、リールに対応する領域における液晶表示の明るさと、それ以外の領域における液晶表示の明るさが同程度となり、液晶表示における明るさの均一化を図ることができる。
【手続補正８】
【補正対象書類名】明細書
【補正対象項目名】００１５
【補正方法】変更
【補正の内容】
【００１５】
また、本発明の第３の特徴は、本発明の第１の特徴又は第２の特徴において、前記切り抜き又は凹部には、前記リールの一部が挿入されていることを特徴とする。
【手続補正９】
【補正対象書類名】明細書
【補正対象項目名】００１６
【補正方法】変更
【補正の内容】
【００１６】
このように構成すると、切り抜き又は凹部にリールの一部が挿入可能となるので、リールを遊技者に接近させることができる。そのため、迫力のある遊技機を提供することができる。さらにまた、遊技者が液晶表示装置を斜めから目視する場合であっても、リール上の図柄と液晶表示装置上の液晶表示との視差によるズレを少なくすることができる。
【手続補正１０】
【補正対象書類名】明細書
【補正対象項目名】００１７
【補正方法】変更
【補正の内容】
【００１７】
また、本発明の第４の特徴は、本発明の第１の特徴乃至第３の特徴のうち、いずれかの特徴において、前記導光板の前記端部から中央近傍までの所定領域において、前記端部からの距離が大きくなるに従い、前記第２の光偏向パターンにおいて前記液晶パネルへ光を出射する部分の割合が高くなるように、前記第２の光偏向パターンが施されてあることを特徴とする。
【手続補正１１】
【補正対象書類名】明細書
【補正対象項目名】００１８
【補正方法】変更
【補正の内容】
【００１８】
このように構成すると、導光板端部の近傍の領域にて、液晶パネルに向けて出射される光の量は、抑えられ、導光板中央近傍部の領域にて、液晶パネルに向けて出射される光の量を多くすることができる。このように構成された光偏向パターンを用いることにより、導光板端部の近傍の領域にて、液晶パネルに向けて出射される単位面積当たりの光の量と、導光板中央近傍部の領域にて、液晶パネルに向けて出射される単位面積当たりの光の量とを同程度にすることが可能となる。この結果、液晶表示における明るさの均一化を一層図ることができる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
以上説明したように本発明によれば、液晶パネル用の照明手段から出射される光が、切り抜き部の端面に施された光散乱加工又は光散乱形状により散乱され、リール窓部の光量不足を防止でき、美観を損ねることの無い遊技機を提供することが可能となる。